(57)【要約】【課題】画像表示装置において、マーカ画像の移動を簡便に行えるようにする。【解決手段】リモコン２０は、リモコン２０の上方向、下方向、左方向、及び右方向の傾きを検出し、リモコン２０の上方向、下方向、左方向、及び右方向の傾きに基いて、リモコン２０から送信する操作信号の送信方向を一定に保つように制御すると共に、リモコン２０の上方向、下方向、左方向、及び右方向の傾きを示す傾き信号を、操作信号として送信する。レコーダ本体１０は、リモコン２０から受信した傾き信号の示す傾きに対応するように、マーカ画像５２の表示位置を変化させる。リモコン２０から送信される操作信号の送信方向が一定に保たれるため、ユーザがリモコン２０を傾けても、リモコン２０から送信される傾き信号がレコーダ本体１０に確実に受信される。従って、ユーザは、リモコン２０を傾けるだけで、容易かつ確実に、マーカ画像５２を移動させることができる。【選択図】図６
2011029928.tif 000002
【特許請求の範囲】
【請求項１】
ディスプレイに画像を表示する動作を行う本体装置と、前記本体装置と別体に構成され、前記本体装置を動作させるためにユーザに所持されて操作される操作装置とを備え、
前記操作装置は、ユーザに操作されることにより、ユーザによる操作内容を示す操作信号を無線信号によって送信し、
前記本体装置は、前記操作装置から無線信号によって送信される操作信号を受信し、該受信した操作信号に基いて、前記ディスプレイに画像を表示する動作を行う画像表示装置において、
前記操作装置は、
該操作装置の傾きを検出する傾き検出手段と、ユーザによる操作内容を示す操作信号を無線信号によって送信する信号送信手段と、前記信号送信手段により送信される操作信号の送信方向を制御する送信方向制御手段とを有し、
前記傾き検出手段は、
該操作装置の上方向、下方向、左方向、及び右方向の４方向の傾きを検出し、
前記送信方向制御手段は、
前記傾き検出手段により検出された該操作装置の上方向、下方向、左方向、及び右方向の４方向の傾きに基いて、前記信号送信手段により送信される操作信号の送信方向を一定に保つように制御し、
前記信号送信手段は、
前記傾き検出手段により検出された該操作装置の上方向、下方向、左方向、及び右方向の４方向の傾きを示す傾き信号を、ユーザによる操作内容を示す操作信号として送信し、
前記本体装置は、
ユーザが前記ディスプレイ上の位置を指定するためのマーカ画像を前記ディスプレイに表示するマーカ画像表示手段を有し、
前記マーカ画像表示手段は、
前記信号送信手段から受信した傾き信号に基いて、受信した傾き信号の示す傾きに対応するように、前記マーカ画像の表示位置を変化させる、
ことを特徴とする画像表示装置。
【請求項２】
前記操作装置は、
ユーザに操作される傾き機能開始キーをさらに有し、
前記傾き検出手段は、
前記傾き機能開始キーが操作されると、該操作装置の傾きの検出を開始して、前記傾き機能開始キーが操作されたときの該操作装置の姿勢を基準として、該操作装置の上方向、下方向、左方向、及び右方向の４方向の傾きを検出し、
前記送信方向制御手段は、
前記傾き機能開始キーが操作されると、前記信号送信手段により送信される操作信号の送信方向を一定に保つ制御を開始して、前記操作信号の送信方向を前記傾き機能開始キーが操作されたときの操作信号の送信方向に保つように制御し、
前記信号送信手段は、
前記傾き機能開始キーが操作されると、前記傾き検出手段により検出された該操作装置の上方向、下方向、左方向、及び右方向の４方向の傾きを示す傾き信号を、ユーザによる操作内容を示す操作信号として送信する、
ことを特徴とする請求項１に記載の画像表示装置。
【請求項３】
前記操作装置は、
ユーザに操作される傾き機能終了キーをさらに有し、
前記傾き検出手段は、
前記傾き機能開始キーが操作された後、前記傾き機能終了キーが操作されるまでの間、前記傾き機能開始キーが操作されたときの該操作装置の姿勢を基準として、該操作装置の上方向、下方向、左方向、及び右方向の４方向の傾きを検出し、
前記送信方向制御手段は、
前記傾き機能開始キーが操作された後、前記傾き機能終了キーが操作されるまでの間、前記操作信号の送信方向を前記傾き機能開始キーが操作されたときの操作信号の送信方向に保つように制御し、
前記信号送信手段は、
前記傾き機能開始キーが操作された後、前記傾き機能終了キーが操作されるまでの間、前記傾き検出手段により検出された該操作装置の上方向、下方向、左方向、及び右方向の４方向の傾きを示す傾き信号を、ユーザによる操作内容を示す操作信号として送信する、
ことを特徴とする請求項２に記載の画像表示装置。
【請求項４】
前記操作装置は、
前記マーカ画像による前記ディスプレイ上の位置の指定を確定するためにユーザに操作される確定キーをさらに有し、
前記傾き検出手段は、
前記確定キーが操作された後も、前記傾き機能終了キーが操作されるまでの間、引き続き、前記傾き機能開始キーが操作されたときの該操作装置の姿勢を基準として、該操作装置の上方向、下方向、左方向、及び右方向の４方向の傾きを検出し、
前記送信方向制御手段は、
前記確定キーが操作された後も、前記傾き機能終了キーが操作されるまでの間、引き続き、前記操作信号の送信方向を前記傾き機能開始キーが操作されたときの操作信号の送信方向に保つように制御し、
前記信号送信手段は、
前記確定キーが操作されると、前記マーカ画像による前記ディスプレイ上の位置の指定が確定されたことを示す確定信号を、ユーザによる操作内容を示す操作信号として送信すると共に、
前記確定キーが操作された後も、前記傾き機能終了キーが操作されるまでの間、引き続き、前記傾き検出手段により検出された該操作装置の上方向、下方向、左方向、及び右方向の４方向の傾きを示す傾き信号を、ユーザによる操作内容を示す操作信号として送信する、
ことを特徴とする請求項３に記載の画像表示装置。
【請求項５】
ユーザに所持されて操作され、ユーザに操作されることにより、ユーザによる操作内容を示す操作信号を無線信号によって送信する操作装置において、
該操作装置の傾きを検出する傾き検出手段と、ユーザによる操作内容を示す操作信号を無線信号によって送信する信号送信手段と、前記信号送信手段により送信される操作信号の送信方向を制御する送信方向制御手段とを備え、
前記傾き検出手段は、
該操作装置の上方向、下方向、左方向、及び右方向の４方向の傾きを検出し、
前記送信方向制御手段は、
前記傾き検出手段により検出された該操作装置の上方向、下方向、左方向、及び右方向の４方向の傾きに基いて、前記信号送信手段により送信される操作信号の送信方向を一定に保つように制御し、
前記信号送信手段は、
前記傾き検出手段により検出された該操作装置の上方向、下方向、左方向、及び右方向の４方向の傾きを示す傾き信号を、ユーザによる操作内容を示す操作信号として送信する、
ことを特徴とする操作装置。
【請求項６】
ユーザに操作される傾き機能開始キーをさらに備え、
前記傾き検出手段は、
前記傾き機能開始キーが操作されると、該操作装置の傾きの検出を開始して、前記傾き機能開始キーが操作されたときの該操作装置の姿勢を基準として、該操作装置の上方向、下方向、左方向、及び右方向の４方向の傾きを検出し、
前記送信方向制御手段は、
前記傾き機能開始キーが操作されると、前記信号送信手段により送信される操作信号の送信方向を一定に保つ制御を開始して、前記操作信号の送信方向を前記傾き機能開始キーが操作されたときの操作信号の送信方向に保つように制御し、
前記信号送信手段は、
前記傾き機能開始キーが操作されると、前記傾き検出手段により検出された該操作装置の上方向、下方向、左方向、及び右方向の４方向の傾きを示す傾き信号を、ユーザによる操作内容を示す操作信号として送信する、
ことを特徴とする請求項５に記載の操作装置。
【請求項７】
ユーザに操作される傾き機能終了キーをさらに備え、
前記傾き検出手段は、
前記傾き機能開始キーが操作された後、前記傾き機能終了キーが操作されるまでの間、前記傾き機能開始キーが操作されたときの該操作装置の姿勢を基準として、該操作装置の上方向、下方向、左方向、及び右方向の４方向の傾きを検出し、
前記送信方向制御手段は、
前記傾き機能開始キーが操作された後、前記傾き機能終了キーが操作されるまでの間、前記操作信号の送信方向を前記傾き機能開始キーが操作されたときの操作信号の送信方向に保つように制御し、
前記信号送信手段は、
前記傾き機能開始キーが操作された後、前記傾き機能終了キーが操作されるまでの間、前記傾き検出手段により検出された該操作装置の上方向、下方向、左方向、及び右方向の４方向の傾きを示す傾き信号を、ユーザによる操作内容を示す操作信号として送信する、
ことを特徴とする請求項６に記載の操作装置。
【請求項８】
ユーザに操作される確定キーをさらに備え、
前記傾き検出手段は、
前記確定キーが操作された後も、前記傾き機能終了キーが操作されるまでの間、引き続き、前記傾き機能開始キーが操作されたときの該操作装置の姿勢を基準として、該操作装置の上方向、下方向、左方向、及び右方向の４方向の傾きを検出し、
前記送信方向制御手段は、
前記確定キーが操作された後も、前記傾き機能終了キーが操作されるまでの間、引き続き、前記操作信号の送信方向を前記傾き機能開始キーが操作されたときの操作信号の送信方向に保つように制御し、
前記信号送信手段は、
前記確定キーが操作されると、そのときの該操作装置の上方向、下方向、左方向、及び右方向の４方向の傾きに確定されたことを示す確定信号を、ユーザによる操作内容を示す操作信号として送信すると共に、
前記確定キーが操作された後も、前記傾き機能終了キーが操作されるまでの間、引き続き、前記傾き検出手段により検出された該操作装置の上方向、下方向、左方向、及び右方向の４方向の傾きを示す傾き信号を、ユーザによる操作内容を示す操作信号として送信する、
ことを特徴とする請求項７に記載の操作装置。
【発明の詳細な説明】
【技術分野】
【０００１】
本発明は、ディスプレイ上の位置を指定するためのマーカ画像を表示する機能を有する画像表示装置、及び画像表示装置に用いる操作装置に関するものである。
【背景技術】
【０００２】
従来から、画像表示装置は、一般的に、ディスプレイに画像を表示する動作を行う本体装置と、本体装置と別体に構成され、本体装置を動作させるためにユーザに所持されて操作されるリモコン（操作装置）とを備えている。リモコンは、ユーザに操作されることにより、ユーザによる操作内容を示す操作信号を無線信号によって送信し、本体装置は、リモコンから無線信号によって送信される操作信号を受信し、その受信した操作信号に基いて、ディスプレイに画像を表示する動作を含む各種動作を行うようになっている。
【０００３】
また、このような画像表示装置において、ユーザがディスプレイ上の位置を指定するためのマーカ画像を表示する機能を有するものがある。マーカ画像は、ユーザによるリモコンの操作に応じて、その位置が変化するように表示される。従って、ユーザは、リモコンを操作することにより、マーカ画像の位置を移動させて、マーカ画像によってディスプレイ上の位置を指定することができる。
【０００４】
このようなマーカ画像は、ユーザが文字を入力する場合（例えば録画した番組にユーザがタイトルを付与する場合）などに、選択可能な文字を縦横に配列した文字一覧画像と共に表示される。この場合、ユーザは、リモコンを操作することにより、マーカ画像の位置を移動させ、マーカ画像によってディスプレイ上の位置を指定（すなわち、ディスプレイに表示されている文字一覧画像中の文字を選択）することにより、文字を入力する。従来の画像表示装置では、リモコンのカーソルキーを押下操作することにより、その押下操作の回数に応じてマーカ画像の表示位置を移動させるようになっている。
【０００５】
一方、リモコン本体の傾斜角度に基いて、送信部の信号送信方向を所定の方向に向くように制御するようにしたリモコンが知られている（例えば特許文献１参照）。また、ユーザがリモコンを動かすことにより生じる２方向の角度変化量から、リモコンの指し示す画面上の２次元座標を算出し、この算出した２次元座標から、リモコンの指し示す画面上のボタンを求めて、そのボタンをホットスポット表示するようにしたリモコンが知られている（例えば特許文献２参照）。また、リモコンの上方向、下方向、左方向、右方向の方位角の変化量に応じて、カーソルを上方向、下方向、左方向、右方向に移動させるようにしたリモコンが知られている（例えば特許文献３参照）。また、リモコンの長軸を中心とした回転に応じて、カーソルを移動させるようにしたリモコンが知られている（例えば特許文献４参照）。
【先行技術文献】
【特許文献】
【０００６】
【特許文献１】特開２００８−２８８９１４号公報
【特許文献２】特開２０００−２７０２３７号公報
【特許文献３】特開平７−５９１７０号公報
【特許文献４】特開平６−３１１５６４号公報
【発明の概要】
【発明が解決しようとする課題】
【０００７】
ところで、従来の画像表示装置では、マーカ画像を大きく移動させるには、リモコンのカーソルキーを何回も押下操作する必要があり、マーカ画像を移動させるときの操作性が悪い。
【０００８】
そこで、マーカ画像を移動させるときの操作性を向上するために、キーの押下操作ではなく、ユーザによるリモコンを傾ける操作によって、マーカ画像を移動させるようにすることが考えられる。つまり、リモコンにおいては、ユーザがリモコンを傾けたときのリモコンの傾きを検出して、その傾きを示す傾き信号をユーザによる操作内容を示す操作信号として送信し、本体装置においては、リモコンから受信した傾き信号の示す傾きに対応するように、マーカ画像の表示位置を変化させるようにすることが考えられる。この場合、ユーザがリモコンを傾けたときでも、リモコンから送信された信号が本体装置に受信されなければ、マーカ画像の表示位置を変化させることができず、マーカ画像を移動させるときの操作性を向上することができない。
【０００９】
本発明は、上記課題を解決するためになされたものであり、マーカ画像の移動を簡便に行うことができる画像表示装置、及び画像表示装置に用いる操作装置を提供することを目的とする。
【課題を解決するための手段】
【００１０】
上記目的を達成するために請求項１の発明は、ディスプレイに画像を表示する動作を行う本体装置と、本体装置と別体に構成され、本体装置を動作させるためにユーザに所持されて操作される操作装置とを備え、操作装置は、ユーザに操作されることにより、ユーザによる操作内容を示す操作信号を無線信号によって送信し、本体装置は、操作装置から無線信号によって送信される操作信号を受信し、該受信した操作信号に基いて、ディスプレイに画像を表示する動作を行う画像表示装置において、操作装置は、該操作装置の傾きを検出する傾き検出手段と、ユーザによる操作内容を示す操作信号を無線信号によって送信する信号送信手段と、信号送信手段により送信される操作信号の送信方向を制御する送信方向制御手段とを有し、傾き検出手段は、該操作装置の上方向、下方向、左方向、及び右方向の４方向の傾きを検出し、送信方向制御手段は、傾き検出手段により検出された該操作装置の上方向、下方向、左方向、及び右方向の４方向の傾きに基いて、信号送信手段により送信される操作信号の送信方向を一定に保つように制御し、信号送信手段は、傾き検出手段により検出された該操作装置の上方向、下方向、左方向、及び右方向の４方向の傾きを示す傾き信号を、ユーザによる操作内容を示す操作信号として送信し、本体装置は、ユーザがディスプレイ上の位置を指定するためのマーカ画像をディスプレイに表示するマーカ画像表示手段を有し、マーカ画像表示手段は、信号送信手段から受信した傾き信号に基いて、受信した傾き信号の示す傾きに対応するように、マーカ画像の表示位置を変化させるものである。
【００１１】
請求項２の発明は、請求項１に記載の画像表示装置において、操作装置は、ユーザに操作される傾き機能開始キーをさらに有し、傾き検出手段は、傾き機能開始キーが操作されると、該操作装置の傾きの検出を開始して、傾き機能開始キーが操作されたときの該操作装置の姿勢を基準として、該操作装置の上方向、下方向、左方向、及び右方向の４方向の傾きを検出し、送信方向制御手段は、傾き機能開始キーが操作されると、信号送信手段により送信される操作信号の送信方向を一定に保つ制御を開始して、操作信号の送信方向を傾き機能開始キーが操作されたときの操作信号の送信方向に保つように制御し、信号送信手段は、傾き機能開始キーが操作されると、傾き検出手段により検出された該操作装置の上方向、下方向、左方向、及び右方向の４方向の傾きを示す傾き信号を、ユーザによる操作内容を示す操作信号として送信するものである。
【００１２】
請求項３の発明は、請求項２に記載の画像表示装置において、操作装置は、ユーザに操作される傾き機能終了キーをさらに有し、傾き検出手段は、傾き機能開始キーが操作された後、傾き機能終了キーが操作されるまでの間、傾き機能開始キーが操作されたときの該操作装置の姿勢を基準として、該操作装置の上方向、下方向、左方向、及び右方向の４方向の傾きを検出し、送信方向制御手段は、傾き機能開始キーが操作された後、傾き機能終了キーが操作されるまでの間、操作信号の送信方向を傾き機能開始キーが操作されたときの操作信号の送信方向に保つように制御し、信号送信手段は、傾き機能開始キーが操作された後、傾き機能終了キーが操作されるまでの間、傾き検出手段により検出された該操作装置の上方向、下方向、左方向、及び右方向の４方向の傾きを示す傾き信号を、ユーザによる操作内容を示す操作信号として送信するものである。
【００１３】
請求項４の発明は、請求項３に記載の画像表示装置において、操作装置は、マーカ画像によるディスプレイ上の位置の指定を確定するためにユーザに操作される確定キーをさらに有し、傾き検出手段は、確定キーが操作された後も、傾き機能終了キーが操作されるまでの間、引き続き、傾き機能開始キーが操作されたときの該操作装置の姿勢を基準として、該操作装置の上方向、下方向、左方向、及び右方向の４方向の傾きを検出し、送信方向制御手段は、確定キーが操作された後も、傾き機能終了キーが操作されるまでの間、引き続き、操作信号の送信方向を傾き機能開始キーが操作されたときの操作信号の送信方向に保つように制御し、信号送信手段は、確定キーが操作されると、マーカ画像によるディスプレイ上の位置の指定が確定されたことを示す確定信号を、ユーザによる操作内容を示す操作信号として送信すると共に、確定キーが操作された後も、傾き機能終了キーが操作されるまでの間、引き続き、傾き検出手段により検出された該操作装置の上方向、下方向、左方向、及び右方向の４方向の傾きを示す傾き信号を、ユーザによる操作内容を示す操作信号として送信するものである。
【００１４】
請求項５の発明は、ユーザに所持されて操作され、ユーザに操作されることにより、ユーザによる操作内容を示す操作信号を無線信号によって送信する操作装置において、該操作装置の傾きを検出する傾き検出手段と、ユーザによる操作内容を示す操作信号を無線信号によって送信する信号送信手段と、信号送信手段により送信される操作信号の送信方向を制御する送信方向制御手段とを備え、傾き検出手段は、該操作装置の上方向、下方向、左方向、及び右方向の４方向の傾きを検出し、送信方向制御手段は、傾き検出手段により検出された該操作装置の上方向、下方向、左方向、及び右方向の４方向の傾きに基いて、信号送信手段により送信される操作信号の送信方向を一定に保つように制御し、信号送信手段は、傾き検出手段により検出された該操作装置の上方向、下方向、左方向、及び右方向の４方向の傾きを示す傾き信号を、ユーザによる操作内容を示す操作信号として送信するものである。
【００１５】
請求項６の発明は、請求項５に記載の操作装置において、ユーザに操作される傾き機能開始キーをさらに備え、傾き検出手段は、傾き機能開始キーが操作されると、該操作装置の傾きの検出を開始して、傾き機能開始キーが操作されたときの該操作装置の姿勢を基準として、該操作装置の上方向、下方向、左方向、及び右方向の４方向の傾きを検出し、送信方向制御手段は、傾き機能開始キーが操作されると、信号送信手段により送信される操作信号の送信方向を一定に保つ制御を開始して、操作信号の送信方向を傾き機能開始キーが操作されたときの操作信号の送信方向に保つように制御し、信号送信手段は、傾き機能開始キーが操作されると、傾き検出手段により検出された該操作装置の上方向、下方向、左方向、及び右方向の４方向の傾きを示す傾き信号を、ユーザによる操作内容を示す操作信号として送信するものである。
【００１６】
請求項７の発明は、請求項６に記載の操作装置において、ユーザに操作される傾き機能終了キーをさらに備え、傾き検出手段は、傾き機能開始キーが操作された後、傾き機能終了キーが操作されるまでの間、傾き機能開始キーが操作されたときの該操作装置の姿勢を基準として、該操作装置の上方向、下方向、左方向、及び右方向の４方向の傾きを検出し、送信方向制御手段は、傾き機能開始キーが操作された後、傾き機能終了キーが操作されるまでの間、操作信号の送信方向を傾き機能開始キーが操作されたときの操作信号の送信方向に保つように制御し、信号送信手段は、傾き機能開始キーが操作された後、傾き機能終了キーが操作されるまでの間、傾き検出手段により検出された該操作装置の上方向、下方向、左方向、及び右方向の４方向の傾きを示す傾き信号を、ユーザによる操作内容を示す操作信号として送信するものである。
【００１７】
請求項８の発明は、請求項７に記載の操作装置において、ユーザに操作される確定キーをさらに備え、傾き検出手段は、確定キーが操作された後も、傾き機能終了キーが操作されるまでの間、引き続き、傾き機能開始キーが操作されたときの該操作装置の姿勢を基準として、該操作装置の上方向、下方向、左方向、及び右方向の４方向の傾きを検出し、送信方向制御手段は、確定キーが操作された後も、傾き機能終了キーが操作されるまでの間、引き続き、操作信号の送信方向を傾き機能開始キーが操作されたときの操作信号の送信方向に保つように制御し、信号送信手段は、確定キーが操作されると、そのときの該操作装置の上方向、下方向、左方向、及び右方向の４方向の傾きに確定されたことを示す確定信号を、ユーザによる操作内容を示す操作信号として送信すると共に、確定キーが操作された後も、傾き機能終了キーが操作されるまでの間、引き続き、傾き検出手段により検出された該操作装置の上方向、下方向、左方向、及び右方向の４方向の傾きを示す傾き信号を、ユーザによる操作内容を示す操作信号として送信するものである。
【発明の効果】
【００１８】
請求項１乃至請求項４の発明によれば、ユーザが操作装置を傾ける操作をすると、ユーザが操作装置を傾ける操作をしたときの操作装置の傾きを示す傾き信号が、ユーザによる操作装置の操作内容を示す操作信号として操作装置から本体装置に送信される。このとき、操作装置から送信される操作信号の送信方向が一定に保たれるため、ユーザが操作装置を傾ける操作をしても、操作装置から送信される操作信号の送信方向が本体装置に向いている状態に保つことが可能となり、操作装置から操作信号として送信される傾き信号が本体装置に確実に受信される。そして、この操作装置から送信されて本体装置に受信された傾き信号に基いて、その傾き信号の示す傾き（すなわちユーザによる操作装置を傾ける操作）に対応するように、マーカ画像の表示位置が変化する。従って、ユーザは、操作装置を傾ける操作をするだけで、容易かつ確実に、マーカ画像を移動させることができて、マーカ画像の移動を簡便に行うことができ、マーカ画像を移動させるときの操作性を向上することができる。
【００１９】
請求項５乃至請求項８の発明によれば、ユーザが操作装置を傾ける操作をしたときの操作装置の傾きを示す傾き信号（ユーザによる操作装置の操作内容を示す操作信号として送信される信号）を、操作装置からの操作信号を受信して動作する本体装置に確実に受信させることができ、操作性を向上することができる。また、操作装置から送信される傾き信号を、本体装置においてマーカ画像の表示位置を変化させるための信号として利用することにより、請求項１乃至４と同様の効果が得られる。
【図面の簡単な説明】
【００２０】
【図１】本発明の一実施形態に係る光ディスクレコーダの概略構成を示す斜視図。
【図２】（ａ）は同光ディスクレコーダのリモコンの平面図、（ｂ）は同リモコンの側面図、（ｃ）は同リモコンの正面図。
【図３】（ａ）は同光ディスクレコーダのリモコンの操作信号の送信方向を上方向に変化させたときの側面図、（ｂ）は同操作信号の送信方向を下方向に変化させたときの側面図、（ｃ）は同操作信号の送信方向を左方向に変化させたときの平面図、（ｄ）は同操作信号の送信方向を右方向に変化させたときの平面図。
【図４】同光ディスクレコーダのリモコンの電気的ブロック構成図。
【図５】同光ディスクレコーダのレコーダ本体の電気的ブロック構成図。
【図６】同光ディスクレコーダのタイトル入力動作における文字選択画像の表示例を示す図。
【発明を実施するための形態】
【００２１】
以下、本発明を具体化した実施形態による画像表示装置について図面を参照して説明する。図１は、本実施形態による画像表示装置である光ディスクレコーダの構成を示す。光ディスクレコーダ１は、テレビジョン放送局から放送されるテレビジョン信号を受信して、テレビジョン信号に基く番組を光ディスク８０に録画し、また、光ディスク８０に録画した番組を再生する装置である。
【００２２】
光ディスクレコーダ１は、本体装置であるレコーダ本体１０と、レコーダ本体１０と別体に構成され、レコーダ本体１０を動作させるためにユーザに所持されて操作される操作装置であるリモコン２０とを備える。
【００２３】
リモコン２０は、ユーザに操作されることにより、ユーザによる操作内容を示す操作信号を無線信号（赤外線）によって送信する。レコーダ本体１０は、リモコン２０から無線信号によって送信される操作信号を受信し、リモコン２０から無線信号によって受信した操作信号に基いて、テレビジョン信号に基く番組を光ディスク８０に録画する動作、光ディスク８０に録画した番組を再生する動作、光ディスク８０から再生した番組の画像やその他の各種画像を出力する動作等の各種動作を行う。
【００２４】
光ディスクレコーダ１は、レコーダ本体１０にディスプレイ９０を接続して使用するようになっており、光ディスク８０から再生した番組の画像やその他の各種画像を、レコーダ本体１０に接続されるディスプレイ９０に表示するようになっている。
【００２５】
図２（ａ）（ｂ）（ｃ）、図３（ａ）（ｂ）（ｃ）（ｄ）は、リモコン２０の構成を示す。リモコン２０は、ユーザにより押下操作される各種操作キーを有するキー操作部２１と、赤外線を投光する赤外線投光部２２とを備えている。リモコン２０は、直方体形状になっており、ユーザの片方の手に所持され得る形状になっている。
【００２６】
キー操作部２１は、リモコン２０の上面２０ａに設けられており、ユーザにより押下操作される操作キーとして、電源キー３１と、数字キー３２と、カーソルキー３３と、メニューキー３４と、確定キー３５と、傾き機能開始キー３６と、傾き機能終了キー３７を有している。
【００２７】
赤外線投光部２２は、リモコン２０の前面２０ｂに設けられており、赤外線を発光するＬＥＤランプ４１と、ＬＥＤランプ４１を保持する保持部４２とを有している。赤外線投光部２２は、ＬＥＤランプ４１が赤外線を発光することにより、そのＬＥＤランプから発光された赤外線を投光する。保持部４２は、リモコン２０の筐体に対して回動する（傾く）ようになっており、ＬＥＤランプ４１は、保持部４２の先端に固定的に保持されている。従って、赤外線投光部２２は、保持部４２が回動することにより、ＬＥＤランプ４１の向き（リモコン２０に対する姿勢）が変化して、赤外線の投光方向が変化するようになっている。
【００２８】
保持部４２は、図３（ａ）（ｂ）（ｃ）（ｄ）に示すように、先端側がリモコン２０の正面方向（リモコン２０の長手方向であって、リモコン２０の後面２０ｃから前面２０ｂに向かう方向）からリモコン２０の上方向、下方向、左方向、及び右方向の４方向に変位するように、回動するようになっている。
【００２９】
ここで、リモコン２０の上方向とは、リモコン２０の上面２０ａ側に向かう方向であり、リモコン２０の下方向とは、リモコン２０の下面２０ｄ側に向かう方向である。また、リモコン２０の左方向とは、リモコン２０の左側面２０ｅ側に向かう方向であり、リモコン２０の右方向とは、リモコン２０の右側面２０ｆ側に向かう方向である。
【００３０】
そして、ＬＥＤランプ４１は、保持部４２が回動していない中立位置にあるとき（保持部４２の先端側がリモコン２０の正面方向にあるとき）に、赤外線の投光方向がリモコン２０の正面方向となるように、保持部４２の先端に固定的に保持されている。
【００３１】
従って、赤外線投光部２２は、保持部４２が回動（保持部４２の先端側がリモコン２０の正面方向からリモコン２０の上方向、下方向、左方向、及び右方向の４方向に変位するように回動）することにより、ＬＥＤランプ４１の向きがリモコン２０の正面方向に対してリモコン２０の上方向、下方向、左方向、及び右方向の４方向に変化して、赤外線の投光方向がリモコン２０の正面方向に対してリモコン２０の上方向、下方向、左方向、及び右方向の４方向に変化するようになっている。
【００３２】
このような構成のリモコン２０は、ユーザにより押下操作された操作キーがいずれの操作キーであるかを示す操作キー信号を、ユーザによるリモコン２０の操作内容を示す操作信号として赤外線投光部２２から赤外線によって送信するようになっている。また、このリモコン２０は、リモコン２０の傾きを示す信号を、ユーザによるリモコン２０の操作内容を示す操作信号として赤外線投光部２２から赤外線によって送信する傾き機能を有している。
【００３３】
図４は、リモコン２０の電気的ブロック構成を示す。リモコン２０は、上述の構成に加え、回動検出部２３と、保持部回動部２４と、リモコン２０の動作を制御するためのリモコン制御部２５等を備えている。
【００３４】
キー操作部２１は、上述のように、ユーザにより押下操作される各種操作キーを有しており、各種操作キーが押下操作されると、その押下操作された操作キーに対応するキー押下信号を出力する。赤外線投光部２２のＬＥＤランプ４１は、リモコン制御部２５による制御のもと、赤外線を発光する。
【００３５】
回動検出部２３は、リモコン２０の回動（すなわちリモコン２０の姿勢の変化）を検出し、その検出した回動を示す回動信号を出力する。回動検出部２３は、複数の角速度センサを有しており、これら複数の角速度センサの出力（角速度センサにより検出した角速度）に基いて、所定の微小時間Δｔ間隔で、リモコン２０の上方向、下方向、左方向、及び右方向の４方向の回動における微小時間Δｔ内の回動角度を検出して、それら検出した各方向の回動における微小時間Δｔ内の回動角度を示す信号を回動信号として出力する。
【００３６】
ここで、リモコン２０の上方向の回動とは、リモコン２０の前面２０ｂ側がリモコン２０の上方向（リモコン２０の上面２０ａ側に向かう方向）に変位する回動であり、リモコン２０の下方向の回動とは、リモコン２０の前面２０ｂ側がリモコン２０の下方向（リモコン２０の下面２０ｄ側に向かう方向）に変位する回動である。また、リモコン２０の左方向の回動とは、リモコン２０の前面２０ｂ側がリモコン２０の左方向（リモコン２０の左側面２０ｅ側に向かう方向）に変位する回動であり、リモコン２０の右方向の回動とは、リモコン２０の前面２０ｂ側がリモコン２０の右方向（リモコン２０の右側面２０ｆ側に向かう方向）に変位する回動である。
【００３７】
保持部回動部２４は、リモコン制御部２５による制御のもと、赤外線投光部２２の保持部４２を回動させる。保持部回動部２４は、モータなどのアクチュエータを有しており、このアクチュエータによって、保持部４２の先端側がリモコン２０の正面方向からリモコン２０の上方向、下方向、左方向、及び右方向の４方向に変位するように、保持部４２を回動させる。
【００３８】
リモコン制御部２５は、キー操作部２１の各種操作キーの押下操作の検出、リモコン２０の傾きの検出、ユーザによるリモコン２０の操作内容を示す操作信号の赤外線による送信、赤外線によって送信する操作信号の送信方向の制御等を行う。
【００３９】
リモコン制御部２５は、キー操作部２１から出力されるキー押下信号に基いて、キー操作部２１の各種操作キーが押下操作されたことを検出する。
【００４０】
また、リモコン制御部２５は、回動検出部２３から出力される回動信号に基いて、あるタイミングにおけるリモコン２０の姿勢を基準として、リモコン２０の上方向、下方向、左方向、及び右方向の４方向の傾きを検出する。つまり、リモコン制御部２５は、あるタイミングにおいてリモコン２０の傾きの検出を開始し、あるタイミング以降に回動検出部２３から出力される回動信号の示す回動角度（微小時間Δｔ間隔で検出された、リモコン２０の上方向、下方向、左方向、及び右方向の４方向の各方向の回動における微小時間Δｔ内の回動角度）を累積してゆく。これにより、あるタイミングにおけるリモコン２０の姿勢からのリモコン２０の上方向、下方向、左方向、及び右方向の４方向の傾きが検出され、あるタイミングにおけるリモコン２０の姿勢を基準として、リモコン２０の上方向、下方向、左方向、及び右方向の４方向の傾きが検出される。リモコン制御部２５等によって、リモコン２０の傾きを検出する傾き検出手段が構成されている。
【００４１】
また、リモコン制御部２５は、赤外線投光部２２から赤外線を投光させることにより、ユーザによるリモコン２０の操作内容を示す操作信号を赤外線によって送信する。つまり、リモコン制御部２５は、赤外線投光部２２のＬＥＤランプ４１から、ユーザによるリモコン２０の操作内容を表す信号によってパルス変調した赤外線を発光させる。これにより、ユーザによるリモコン２０の操作内容を示す操作信号が、赤外線投光部２２から赤外線によって送信される。リモコン制御部２５等によって、ユーザによるリモコン２０の操作内容を示す操作信号を無線信号によって送信する信号送信手段が構成されている。
【００４２】
また、リモコン制御部２５は、赤外線投光部２２からの赤外線の投光方向を制御することにより、赤外線によって送信する操作信号の送信方向を制御する。つまり、リモコン制御部２５は、保持部回動部２４によって、赤外線投光部２２の保持部４２を回動させることにより、赤外線投光部２２のＬＥＤランプ４１の向きを変化させて、赤外線投光部２２からの赤外線の投光方向を変化させ、赤外線によって送信する操作信号の送信方向を変化させる。リモコン制御部２５は、保持部回動部２４によって、赤外線投光部２２の保持部４２を、保持部４２の先端側がリモコン２０の正面方向からリモコン２０の上方向、下方向、左方向、及び右方向の４方向に変位するように回動させることにより、赤外線投光部２２からの赤外線の投光方向をリモコン２０の正面方向に対して上方向、下方向、左方向、及び右方向の４方向に変化させて、赤外線によって送信する操作信号の送信方向をリモコン２０の正面方向に対して上方向、下方向、左方向、及び右方向の４方向に変化させる。リモコン制御部２５等によって、操作信号の送信方向を制御する送信方向制御手段が構成されている。
【００４３】
また、リモコン制御部２５は、ユーザによる操作を受けて、リモコン２０の各種動作を制御する。
【００４４】
リモコン制御部２５は、キー操作部２１の各種操作キーが押下操作されると（押下操作されたことを検出すると）、押下操作された操作キーがいずれの操作キーであるかを示す操作キー信号を、ユーザによるリモコン２０の操作内容を示す操作信号として赤外線投光部２２から赤外線によって送信する。
【００４５】
また、リモコン制御部２５は、傾き機能開始キー３６が押下操作されると、押下操作された操作キーが傾き機能開始キー３６であることを示す操作キー信号（傾き機能が開始されたことを示す傾き機能開始信号）を、ユーザによるリモコン２０の操作内容を示す操作信号として赤外線投光部２２から赤外線によって送信すると共に、傾き機能を開始する。傾き機能とは、リモコン２０の傾きを示す信号を、ユーザによるリモコン２０の操作内容を示す操作信号として赤外線投光部２２から赤外線によって送信する機能である。
【００４６】
すなわち、リモコン制御部２５は、傾き機能開始キー３６が押下操作されると、リモコン２０の傾きの検出を開始して、傾き機能開始キー３６が押下操作されたときのリモコン２０の姿勢を基準として、リモコン２０の上方向、下方向、左方向、及び右方向の４方向の傾きを検出する。つまり、リモコン制御部２５は、傾き機能開始キー３６が押下操作されたとき以降に回動検出部２３から出力される回動信号の示す回動角度を累積してゆくことにより、傾き機能開始キー３６が押下操作されたときのリモコン２０の姿勢を基準として、傾き機能開始キー３６が押下操作されたときのリモコン２０の姿勢からのリモコン２０の上方向、下方向、左方向、及び右方向の４方向の傾きを検出する。また、リモコン制御部２５は、傾き機能開始キー３６が押下操作されると、検出したリモコン２０の上方向、下方向、左方向、及び右方向の４方向の傾きに基いて、赤外線投光部２２から赤外線によって送信する操作信号のレコーダ本体１０に対する送信方向を一定に保つ制御を開始して、赤外線投光部２２から赤外線によって送信する操作信号のレコーダ本体１０に対する送信方向を、傾き機能開始キー３６が押下操作されたときの操作信号の送信方向に保つように制御する。そして、リモコン制御部２５は、傾き機能開始キー３６が押下操作されると、検出したリモコン２０の上方向、下方向、左方向、及び右方向の４方向の傾きを示す傾き信号を、ユーザによるリモコン２０の操作内容を示す操作信号として赤外線投光部２２から赤外線によって送信する。
【００４７】
そして、リモコン制御部２５は、傾き機能開始キー３６が押下操作された後、傾き機能終了キー３７が押下操作されるまでの間、傾き機能を実行する。
【００４８】
すなわち、リモコン制御部２５は、傾き機能開始キー３６が押下操作された後、傾き機能終了キー３７が押下操作されるまでの間、傾き機能開始キー３６が押下操作されたときのリモコン２０の姿勢を基準として、リモコン２０の上方向、下方向、左方向、及び右方向の４方向の傾きを検出し続ける。また、リモコン制御部２５は、傾き機能開始キー３６が押下操作された後、傾き機能終了キー３７が押下操作されるまでの間、赤外線投光部２２から赤外線によって送信する操作信号のレコーダ本体１０に対する送信方向を、傾き機能開始キー３６が押下操作されたときの操作信号の送信方向に保つように制御し続ける。そして、リモコン制御部２５は、傾き機能開始キー３６が押下操作された後、傾き機能終了キー３７が押下操作されるまでの間、検出したリモコン２０の上方向、下方向、左方向、及び右方向の４方向の傾きを示す傾き信号を、ユーザによるリモコン２０の操作内容を示す操作信号として、赤外線投光部２２から赤外線によって送信し続ける。リモコン２０から送信される傾き信号は、リモコン２０の傾きが同じ傾きに留まっていれば、その傾きを示し続け、リモコン２０の傾きが変化すると、リモコン２０の傾きの変化に応じて変化して、傾き変化後のリモコン２０の傾きを示すことになる。
【００４９】
また、リモコン制御部２５は、傾き機能を実行している間に確定キー３５が押下操作されると、押下操作された操作キーが確定キー３５であることを示す操作キー信号（そのときのリモコン２０の上方向、下方向、左方向、及び右方向の４方向の傾きに確定されたことを示す確定信号）を、ユーザによるリモコン２０の操作内容を示す操作信号として赤外線投光部２２から赤外線によって送信すると共に、引き続き、傾き機能を実行する。
【００５０】
すなわち、リモコン制御部２５は、確定キー３５が押下操作された後も、傾き機能終了キー３７が押下操作されるまでの間、引き続き、傾き機能開始キー３６が押下操作されたときのリモコン２０の姿勢を基準として、リモコン２０の上方向、下方向、左方向、及び右方向の４方向の傾きを検出し続ける。また、リモコン制御部２５は、確定キー３５が押下操作された後も、傾き機能終了キー３７が押下操作されるまでの間、引き続き、赤外線投光部２２から赤外線によって送信する操作信号のレコーダ本体１０に対する送信方向を、傾き機能開始キー３６が押下操作されたときの操作信号の送信方向に保つように制御し続ける。そして、リモコン制御部２５は、確定キー３５が押下操作された後も、傾き機能終了キー３７が押下操作されるまでの間、引き続き、検出したリモコン２０の上方向、下方向、左方向、及び右方向の４方向の傾きを示す傾き信号を、ユーザによるリモコン２０の操作内容を示す操作信号として、赤外線投光部２２から赤外線によって送信し続ける。
【００５１】
そして、リモコン制御部２５は、傾き機能終了キー３７が押下操作されると、傾き機能を終了すると共に、押下操作された操作キーが傾き機能終了キー３７であることを示す操作キー信号（傾き機能が終了されたことを示す傾き機能終了信号）を、ユーザによるリモコン２０の操作内容を示す操作信号として赤外線投光部２２から赤外線によって送信する。
【００５２】
また、リモコン制御部２５は、傾き機能を終了すると、赤外線投光部２２から赤外線によって送信する操作信号の送信方向を、リモコン２０の正面方向（リモコン２０の長手方向であって、リモコン２０の後面２０ｃから前面２０ｂに向かう方向）にし、傾き機能を実行していないときには、赤外線投光部２２から赤外線によって送信する操作信号の送信方向を、リモコン２０の正面方向に固定する。
【００５３】
このような構成のリモコン２０によれば、ユーザがキー操作部２１の各種操作キーを押下操作すると、ユーザにより押下操作された操作キーがいずれの操作キーであるかを示す操作キー信号が、ユーザによるリモコン２０の操作内容を示す操作信号として赤外線投光部２２から赤外線によって送信される。
【００５４】
また、ユーザが傾き機能開始キー３６を押下操作した後においては、ユーザがリモコン２０を傾ける操作をすると、ユーザがリモコン２０を傾ける操作をしたときのリモコン２０の傾きを示す傾き信号が、ユーザによるリモコン２０の操作内容を示す操作信号として赤外線投光部２２から赤外線によって送信される。このとき、赤外線投光部２２から赤外線によって送信される操作信号のレコーダ本体１０に対する送信方向は、傾き機能開始キー３６が押下操作されたときの操作信号の送信方向に保たれる。従って、例えば、ユーザがリモコン２０の正面方向をレコーダ本体１０に向けて傾き機能開始キー３６を押下操作したとすれば、その後、ユーザがリモコン２０を傾けても（リモコン２０の向きを変えても）、リモコン２０から送信される操作信号の送信方向がレコーダ本体１０に向いている状態に保たれ、リモコン２０から操作信号として送信される傾き信号をレコーダ本体１０に確実に受信させることができる。また、ユーザがリモコン２０を傾ける操作をしながらキー操作部２１の各種操作キーを押下操作したときに、傾き信号に引き続いてリモコン２０から送信される操作キー信号も、レコーダ本体１０に確実に受信させることができる。
【００５５】
図５は、レコーダ本体１０の電気的ブロック構成を示す。レコーダ本体１０は、リモコン受光部１１と、チューナ１２と、光ディスクドライブ１３と、レコーダ本体１０の動作を制御する本体制御部１４等を備える。
【００５６】
リモコン受光部１１は、リモコン２０から投光された赤外線を受光して（すなわち、リモコン２０から赤外線によって送信された操作信号を受信して）、ユーザによるリモコン２０の操作内容を示す操作信号を電気信号によって出力する。
【００５７】
チューナ１２は、本体制御部１４による制御のもと、テレビジョン信号を受信し、受信中のテレビジョン信号を処理して、受信中のテレビジョン信号に基く番組の画像信号を出力する。光ディスクドライブ１３は、本体制御部１４による制御のもと、光ディスク８０に各種信号を記録し、また、光ディスク８０に記録されている各種信号を読出す。
【００５８】
本体制御部１４は、画像信号をディスプレイ９０に供給することにより、ディスプレイ９０に画像を表示する。画像信号がディスプレイ９０に供給されることにより、その画像信号による画像がディスプレイ９０に表示される。
【００５９】
また、本体制御部１４は、リモコン受光部１１から出力される操作信号（すなわち、リモコン２０から送信されてリモコン受光部１１で受信した操作信号）に基いて、ユーザによるリモコン２０の操作内容を判断し、ユーザによるリモコン２０の操作に基いて、レコーダ本体１０の各種動作を制御する。本体制御部１４は、レコーダ本体１０の各種動作として、テレビジョン信号に基く番組を光ディスク８０に録画する動作、光ディスク８０に録画した番組を再生する動作、各種画像を出力する動作、光ディスク８０に録画した番組にタイトルを付与する動作等を行う。
【００６０】
テレビジョン信号に基く番組を光ディスク８０に録画する動作では、本体制御部１４は、チューナ１２によってテレビジョン信号を受信して、チューナ１２から出力されたテレビジョン信号に基く番組の画像信号を、光ディスクドライブ１３によって光ディスク８０に記録する。これにより、テレビジョン信号に基く番組が光ディスク８０に録画される。光ディスク８０に録画した番組を再生する動作では、本体制御部１４は、光ディスク８０に記録されているテレビジョン信号に基く番組の画像信号を、光ディスクドライブ１３によって光ディスク８０から読出して、その画像信号をディスプレイ９０に供給する。これにより、光ディスク８０に録画した番組の画像がディスプレイ９０に表示されて、光ディスク８０に録画した番組が再生される。各種画像を出力する動作では、本体制御部１４は、本体制御部１４により各種画像の画像信号を生成して、その画像信号をディスプレイ９０に供給する。これにより、各種画像がディスプレイ９０に表示される。
【００６１】
光ディスク８０に録画した番組にタイトルを付与する動作では、本体制御部１４は、ユーザにより入力されたタイトルを示すタイトル信号を、光ディスクドライブ１３によって光ディスク８０に記録させる。これにより、光ディスク８０に録画した番組にタイトルが付与される。ユーザによるタイトルの入力は、タイトル入力動作において行われる。
【００６２】
タイトル入力動作では、本体制御部１４は、ユーザに文字を選択させるための文字選択画像をディスプレイ９０に表示し、この文字選択画像を用いてユーザに文字を選択させることにより、ユーザにタイトルを入力させる。
【００６３】
図６は、タイトル入力動作における文字選択画像の表示例を示す。文字選択画像５０は、文字一覧画像５１とマーカ画像５２とを含んでいる。つまり、本体制御部１４は、文字選択画像５０として、文字一覧画像５１とマーカ画像５２とをディスプレイ９０に表示する。本体制御部１４によって、マーカ画像５２をディスプレイ９０に表示するマーカ画像表示手段が構成されている。
【００６４】
文字一覧画像５１は、ユーザが選択可能な文字（「あ」「い」「う」・・・）を縦横に配列した画像である。マーカ画像５２は、ユーザがディスプレイ９０上の位置を指定するための画像であり、ユーザによるリモコン２０の操作に応じて、その位置が変化するように表示される画像である。マーカ画像５２は、タイトル入力動作の開始時には、所定の初期位置（ディスプレイ９０）の中央に表示される。
【００６５】
タイトル入力動作では、本体制御部１４は、このような文字選択画像５０をディスプレイ９０に表示して、ユーザに文字を選択させることにより、ユーザにタイトルを入力させる。すなわち、ユーザは、タイトル入力動作において、リモコン２０を操作することにより、マーカ画像５２の位置を移動させ、マーカ画像５２によってディスプレイ９０上の位置を指定（すなわち、ディスプレイ９０に表示されている文字一覧画像５１中の文字を選択）することにより、文字を入力する。
【００６６】
上述のように、リモコン２０からは、ユーザにより押下操作された操作キーがいずれの操作キーであるかを示す操作キー信号が、ユーザによるリモコン２０の操作内容を示す操作信号として送信され、また、ユーザが傾き機能開始キー３６を押下操作した後（傾き機能が実行されている間）においては、リモコン２０の傾き（傾き機能開始キー３６が押下操作されたときのリモコン２０の姿勢からのリモコン２０の上方向、下方向、左方向、及び右方向の４方向の傾き）を示す傾き信号が、ユーザによるリモコン２０の操作内容を示す操作信号として送信される。
【００６７】
タイトル入力動作では、リモコン２０の傾きを示す傾き信号は、マーカ画像５２の表示位置を変化させるための信号として利用される。また、タイトル入力動作では、リモコン２０の確定キー３５は、マーカ画像５２によるディスプレイ９０上の位置の指定を確定するための操作キーとして使用され、押下操作された操作キーが確定キー３５であることを示す操作キー信号は、マーカ画像５２によるディスプレイ９０上の位置の指定が確定されたことを示す確定信号として利用される。
【００６８】
タイトル入力動作において、本体制御部１４は、ユーザによるリモコン２０の操作内容を示す操作信号として、リモコン２０の傾きを示す傾き信号をリモコン受光部１１で受信すると（すなわち、ユーザがリモコン２０の傾き機能開始キー３６を押下操作した後にリモコン２０を傾ける操作をすると）、その受信した傾き信号に基いて、その受信した傾き信号の示すリモコン２０の傾きに対応するように、マーカ画像５２の表示位置を変化させる。
【００６９】
上述のように、リモコン２０からは、ユーザが傾き機能開始キー３６を押下操作した後（傾き機能が実行されている間）、リモコン２０の傾きを示す傾き信号が送信され続け、そして、リモコン２０から送信される傾き信号は、リモコン２０の傾きが同じ傾きに留まっていれば、その傾きを示し続け、リモコン２０の傾きが変化すると、リモコン２０の傾きの変化に応じて変化して、傾き変化後のリモコン２０の傾きを示す。
【００７０】
すなわち、タイトル入力動作において、本体制御部１４は、リモコン受光部１１で受光した傾き信号の変化に基いて、リモコン２０の回動（ユーザがリモコン２０を傾ける操作）を検出し、リモコン２０の回動に対応するように（ユーザがリモコン２０を傾ける操作に対応するように）、マーカ画像５２の表示位置を変化させる。
【００７１】
つまり、本体制御部１４は、リモコン受光部１１で受光した傾き信号が同じ傾きを示し続けていれば（ユーザがリモコン２０の傾きを同じ傾きに留めて、リモコン２０の回動が止まっていれば）、マーカ画像５２を同じ位置に表示し続け、リモコン受光部１１で受光した傾き信号の示す傾きが変化すれば（ユーザがリモコン２０の傾きを変化させて、リモコン２０が回動していれば）、その変化に応じて、マーカ画像５２の表示位置を変化させる。
【００７２】
このとき、本体制御部１４は、リモコン２０がリモコン２０の上方向に回動すると（ユーザがリモコン２０をリモコン２０の上方向に傾けると）、マーカ画像５２の表示位置をディスプレイ９０の上方向に変化させ、リモコン２０がリモコン２０の下方向に回動すると（ユーザがリモコン２０をリモコン２０の下方向に傾けると）、マーカ画像５２の表示位置をディスプレイ９０の下方向に変化させる。また、リモコン２０がリモコン２０の左方向に回動すると（ユーザがリモコン２０をリモコン２０の左方向に傾けると）、マーカ画像５２の表示位置をディスプレイ９０の左方向に変化させ、リモコン２０がリモコン２０の右方向に回動すると（ユーザがリモコン２０をリモコン２０の右方向に傾けると）、マーカ画像５２の表示位置をディスプレイ９０の右方向に変化させる。
【００７３】
本体制御部１５がこのようにマーカ画像５２を表示することにより、マーカ画像５２は、ユーザがリモコン２０の傾きを変化させると（リモコン２０を傾ける操作をすると）、ユーザがリモコン２０の傾きを変化させている間、リモコン２０の回動方向に移動することになり、ユーザがリモコン２０の傾きを同じ傾きに留めると、そのときの位置に停止することになる。このとき、マーカ画像５２は、リモコン２０の回動速度が速いほど、速く移動し、リモコン２０の回動速度が遅いほど、遅く移動すると共に、リモコン２０の回動角度が大きいほど、大きく移動し、リモコン２０の回動角度が小さいほど、小さく移動することになる。また、マーカ画像５２は、リモコン２０の回動方向が変化すると、移動方向も変化することになる。このように、マーカ画像５２は、ユーザによるリモコン２０を傾ける操作に対応するように（すなわち、リモコン２０から送信されてリモコン受光部１１で受信した傾き信号の示す傾きに対応するように）移動する。
【００７４】
そして、本体制御部１４は、ユーザによるリモコン２０の操作内容を示す操作信号として、押下操作された操作キーが確定キー３５であることを示す操作キー信号（マーカ画像５２によるディスプレイ９０上の位置の指定が確定されたことを示す確定信号）をリモコン受光部１１で受信すると（すなわち、ユーザがリモコン２０の確定キー３５を押下操作すると）、そのときにマーカ画像５２の指し示している文字一覧画像５１中の文字が、ユーザにより選択されて入力されたたものと判断する。
【００７５】
また、本体制御部１４は、確定信号を受信した後も、タイトル入力動作を終了するまでの間、引き続き、タイトル入力動作を継続して、リモコン受光部１１で受光した傾き信号に基いて、マーカ画像５２の表示位置を変化させる。このとき、本体制御部１４は、マーカ画像５２の表示位置を、押下操作された操作キーが確定キー３５であることを示す操作キー信号を受信したときの表示位置から、引き続き変化させる。
【００７６】
このような構成の光ディスクレコーダ１によれば、ユーザが傾き機能開始キー３６を押下操作し、さらに、ユーザがリモコン２０を傾ける操作をすると、ユーザがリモコン２０を傾ける操作をしたときのリモコン２０の傾きを示す傾き信号が、ユーザによるリモコン２０の操作内容を示す操作信号としてリモコン２０から送信される。このとき、リモコン２０から送信される傾き信号のレコーダ本体に対する送信方向は、リモコン２０の傾き機能開始キー３６が押下操作されたときの操作信号の送信方向に保たれる。従って、例えば、ユーザがリモコン２０の正面方向をレコーダ本体１０に向けて傾き機能開始キー３６を押下操作したとすれば、その後、ユーザがリモコン２０を傾ける操作をしても、リモコン２０から送信される操作信号の送信方向がレコーダ本体１０に向いている状態に保たれ、リモコン２０から操作信号として送信される傾き信号をレコーダ本体１０に確実に受信させることができる。
【００７７】
そして、レコーダ本体１０においてタイトル入力動作を行っている場合には、このリモコン２０から送信されてレコーダ本体１０に受信された傾き信号に基いて、傾き信号の示す傾き（すなわちユーザによるリモコン２０を傾ける操作）に対応するように、マーカ画像５２の表示位置が変化する。従って、ユーザは、ユーザが傾き機能開始キー３６を押下操作した後に、リモコン２０を傾ける操作をするだけで、容易かつ確実に、マーカ画像５２を移動させることができて、マーカ画像５２の移動を簡便に行うことができ、マーカ画像５２を移動させるときの操作性を向上することができる。その結果、文字の入力を簡便に行うことができ、録画した番組のタイトルの入力を容易に行うことができる。
【００７８】
なお、本発明は、上記実施形態の構成に限られず、種々の変形が可能である。例えば、タイトル入力動作に限られず、タイトル入力動作以外のユーザに文字を入力させる動作において、タイトル入力動作と同様に、文字一覧画像とマーカ画像を表示して、リモコンから受信した傾き信号に基いて、マーカ画像の表示位置を変化させるようにしてもよい。また、ユーザに文字を入力させる動作に限られず、複数の選択項目を表示して、それら複数の選択項目の中のいずれかをユーザに選択させる動作において、マーカ画像を表示して、リモコンから受信した傾き信号に基いて、マーカ画像の表示位置を変化させるようにしてもよい。また、本発明は、光ディスクレコーダに限られず、テレビジョン受像機やゲーム機等、ディスプレイ上の位置を指定するためのマーカ画像を表示する機能を有する装置に適用可能である。
【符号の説明】
【００７９】
１    光ディスクレコーダ（画像表示装置）
１０    レコーダ本体（本体装置）
１１    リモコン受光部
１２    チューナ
１３    光ディスクドライブ
１４    本体制御部
２０    リモコン（操作装置）
２０ａ    リモコンの上面
２０ｂ    リモコンの前面
２０ｃ    リモコンの後面
２０ｄ    リモコンの下面
２０ｅ    リモコンの左側面
２０ｆ    リモコンの右側面
２１    キー操作部
２２    赤外線投光部
２３    回動検出部
２４    保持部回動部
２５    リモコン制御部
３１    電源キー
３２    数字キー
３３    カーソルキー
３４    メニューキー
３５    確定キー
３６    傾き機能開始キー
３７    傾き機能終了キー
４１    ＬＥＤランプ
４２    保持部
５０    文字選択画像
５１    文字一覧画像
５２    マーカ画像
８０    光ディスク
９０    ディスプレイ
【図１】
2011029928.tif 000003
【図２】
2011029928.tif 000004
【図３】
2011029928.tif 000005
【図４】
2011029928.tif 000006
【図５】
2011029928.tif 000007
【図６】
2011029928.tif 000008